(57)【特許請求の範囲】
【請求項１】
子供又は初心者等のスキーによる滑走を後方から補助するためのスキー滑走補助具であって、
初心者等の腹部、及び腰部を覆うように腹部、及び腰部に対して巻き付けて着脱自在に装着されると共に初心者等の左右の腰骨部に該当する位置が当該腰骨部を覆うように略三角形状に下方へ延長された主ベルトと、
初心者等の腰骨部に該当する位置にて前記主ベルトに互いに離間して取り付けられ、操作ひもを着脱自在に取り付けできる左右一対のフック部と、
前記主ベルトの初心者等の腰部に該当する位置の下端部に固定され、初心者等の大腿部の付け根部分に着脱自在に装着するための大腿部ベルトと、
からなることを特徴とするスキー滑走補助具。
【請求項２】
子供又は初心者等のスキーによる滑走を後方から補助するためのスキー滑走補助具であって、
初心者等の腹部、及び腰部を覆うように腹部、及び腰部に対して巻き付けて着脱自在に装着されると共に初心者等の左右の腰骨部に該当する位置が当該腰骨部を覆うように略三角形状に下方へ延長された主ベルトと、
初心者等の腰骨部に該当する位置にて前記主ベルトに互いに離間して取り付けられる左右一対の操作ひもと、
前記主ベルトの初心者等の腰部に該当する位置の下端部に固定され、初心者等の大腿部の付け根部分に着脱自在に装着するための大腿部ベルトと、
からなることを特徴とするスキー滑走補助具。
【請求項３】
前記主ベルトは、その両端部に互いに係合するバックルを有し、ワンタッチにて両端部を着脱できるものであることを特徴とする請求項１又は２に記載のスキー滑走補助具。
【請求項４】
前記主ベルトは、肩に着脱自在に装着するための左右一対の肩ベルトを有することを特徴とする請求項１から３のいずれかに記載のスキー滑走補助具。
【請求項５】
前記主ベルトは、その前面部に小物収納用ポケットを有することを特徴とする請求項１から４のいずれかに記載のスキー滑走補助具。
【発明の詳細な説明】
【０００１】
【発明の属する技術分野】
本発明は、子供とかスキーの初心者のスキーによる滑走を補助するためのスキー滑走補助具に関し、特に、子供又は初心者等を後方から支えながら操作して安全に正しくスキーによる滑走の練習をさせるためのスキー滑走補助具（グライドサポーター）に関するものである。
【０００２】
【従来の技術】
従来、特に子供とかスキーの初心者がスキーによる滑走練習をする際の補助用具として後方からひもにて初心者等を支えながらその動作をコントロールするようにしたスキー滑走補助具が提案されている。
【０００３】
この種のスキー滑走補助具としては、実願昭６３−１３１７０５号（実開平２−５１５８３号）に記載されている「スキー練習具」が知られている。
【０００４】
このスキー練習具は、腰部に対して巻き付けて着脱自在に装着するための帯状のバンド主体と、当該バンド主体に取り付けられる一対の操作ひもから構成されている。
【０００５】
【発明が解決しようとする課題】
しかし、上記従来のスキー練習具においては、バンド主体（腰ベルト）が腰部に装着されているだけであるため、操作ひもを後方から引いた場合にバンド主体がスキーウエアとともに身体の周りでずれるように動いてしまい、前方を滑走する初心者等を正しく操作することができないという問題がある。
【０００６】
また、バンド主体が腰部に装着される細い帯状であるため、前方を滑走する初心者等の腰部又は脇腹部が強く締め付けられてしまうという問題がある。
【０００７】
また、実願平５−７６３２７号（実開平７−３７２５７号）に記載の安全装備用具（スキー練習用具）においては、ズボンのようにはいて装着するスキーウエアのような構成となっており、一旦装着した後は、脱ぐのが面倒であるという問題や、初心者等の身体のサイズに合わせて複数の異なるサイズの製品が必要となるという問題や、やはり身体との固定（密着）状態が不安定であり、操作ひもによる初心者等の操作が正確に行えないという問題がある。
【０００８】
そこで、本発明の目的は、着脱が容易でしかも正確かつ確実に子供やスキーの初心者等を後方から操作して指導し、滑走姿勢を的確に矯正することができるスキー滑走補助具を提供することにある。
【０００９】
本発明の他の目的は、異なる体格の子供やスキーの初心者等にも容易に対応することができるスキー滑走補助具を提供することにある。
【００１０】
本発明の他の目的は、前方を滑走する初心者等の腰部又は脇腹部が強く締め付けられてしまうことなく、初心者を後方から操作して指導することができるスキー滑走補助具を提供することにある。
【００１１】
さらに、本発明の他の目的は、小物の収納保持に便利なスキー滑走補助具を提供することにある。
【００１２】
【課題を解決するための手段】
上記課題を解決するため、請求項１に記載の本発明は、「子供又は初心者等のスキーによる滑走を後方から補助するためのスキー滑走補助具１０、３０であって、
初心者等の腹部、及び腰部を覆うように腹部、及び腰部に対して巻き付けて着脱自在に装着されると共に初心者等の左右の腰骨部に該当する位置が当該腰骨部を覆うように略三角形状に下方へ延長された主ベルト１１、３１と、
初心者等の腰骨部に該当する位置にて前記主ベルトに互いに離間して取り付けられ、操作ひも２０を着脱自在に取り付けできる左右一対のフック部１３と、
前記主ベルト１１、３１の初心者等の腰部に該当する位置の下端部に固定され、初心者等の大腿部の付け根部分に着脱自在に装着するための大腿部ベルト１４と、からなることを特徴とするスキー滑走補助具。」である。
【００１３】
従って、主ベルト１１，３１を初心者等の衣服Ｗの上からその腹部又は腰部に巻き付け、左右一対のフック部１３に操作ひも２０を取り付け、前方を滑走する初心者等に大腿部ベルト１４を装着すれば、主ベルト１１，３１が初心者等の身体に確実に装着され、後方から操作ひも２０を引くことによって初心者等の腰骨部を正確かつ確実に操作し、体全体を確実に操作することができる。
【００１４】
さらに、このスキー滑走補助具１０，３１においては、主ベルト１１，３１と大腿部ベルト１４を巻き付けて装着するだけであるため、異なる体格の子供やスキーの初心者等にも容易に対応できる。
【００１５】
請求項２に記載の本発明は、「子供又は初心者等のスキーによる滑走を後方から補助するためのスキー滑走補助具１０、３０であって、
初心者等の腹部、及び腰部を覆うように腹部、及び腰部に対して巻き付けて着脱自在に装着されると共に初心者等の左右の腰骨部に該当する位置が当該腰骨部を覆うように略三角形状に下方へ延長された主ベルト１１、３１と、
初心者等の腰骨部に該当する位置にて前記主ベルトに互いに離間して取り付けられる左右一対の操作ひも２０と、
前記主ベルトの初心者等の腰部に該当する位置の下端部に固定され、初心者等の大腿部の付け根部分に着脱自在に装着するための大腿部ベルト１４と、からなることを特徴とするスキー滑走補助具。」である。
【００１６】
従って、この場合、主ベルト１１，３１を初心者等の衣服Ｗの上からその腹部及び腰部に巻き付け、前方を滑走する初心者等に大腿部ベルト１４を装着するだけで、主ベルト１１，３１は初心者等の身体に確実に装着され、後方から操作ひも２０を引くことによって初心者等の腰骨部を正確かつ確実に操作して指導することができる。
【００１７】
さらに、このスキー滑走補助具１０，３０においては、主ベルト１１，３１と大腿部ベルト１４を巻き付けて装着するだけであるため、異なる体格や体型の子供やスキーの初心者等にも容易に対応できる。
【００１８】
しかも、このスキー滑走補助具１０，３０においては、主ベルト１１，３１が腹部及び腰部に巻き付けられているため、前方を滑走する初心者等の腰部又は脇腹部が強く締め付けられてしまうことなく、初心者を後方から操作して指導することができる。尚、この操作ひも２０は、主ベルト１１，３１に対して着脱自在としても、着脱不能としてもよい。
【００１９】
請求項３に記載の本発明は、「前記主ベルト１１は、その両端部にバックル１２を有しワンタッチにて両端部を着脱できるものであることを特徴とする請求項１又は２に記載のスキー滑走補助具。」である。従って、この場合、主ベルト１１を初心者等に対して簡単かつ迅速に装着し、また、取り外すことができる。
【００２０】
請求項４に記載の本発明は、「前記主ベルト１１は、肩に着脱自在に装着するための左右一対の肩ベルト１６を有することを特徴とする請求項１から３のいずれかに記載のスキー滑走補助具。」である。
【００２１】
従って、このスキー滑走補助具１０によれば、肩ベルト１６を初心者等に装着することで、初心者等と主ベルト１１との装着がより確実となり、初心者等のコントロールがより正確かつ確実となる。さらに、主ベルト１１が下方へ引き下げられてしまうことが防止される。
【００２２】
請求項５に記載の本発明は、「前記主ベルト１１は、その前面部に小物収納用ポケット１８を有することを特徴とする請求項１から４のいずれかに記載のスキー滑走補助具。」である。従って、このスキー滑走補助具１０，３０によれば、小物収納用ポケット１８内にハンカチ、リフト券等を収納しておくことができ、大変便利である。
【００２３】
【発明の実施の形態】
本発明を具体化したスキー滑走補助具の実施の形態（一実施例）について図面に従って説明する。
【００２４】
本実施例のスキー滑走補助具１０は、子供又は初心者等のスキーによる滑走を後方から補助するためにスキー用の衣服Ｗの上に装着される器具であって、図１〜図３に示すように、初心者等の腹部及び腰部を広く覆うように腹部及び腰部に対して巻き付けて着脱自在に装着するための主ベルト１１を備えている。
【００２５】
前記主ベルト１１は、その両端部に互いに係合するバックル１２を有し、ワンタッチにて両端部を着脱できるようになっている。尚、このバックル１２は、主ベルト１１に対する取り付け位置の変更（環状に連結される主ベルト１１の径の変更）が可能となっており、体格、体型の異なる初心者等に対応できるようになっている。
【００２６】
前記主ベルト１１は、初心者等の腰骨部に該当する位置にて当該主ベルト１１に互いに離間して取り付けられたフック部１３を備えている。このフック部１３は、帯状の布片と、その先端部に固定された環状の金具から構成され、当該フック部１３には、操作ひも２０を着脱自在に取り付けできるようになっている。
【００２７】
前記主ベルト１１は、初心者等の腰骨部に該当する位置が（左右の腰骨部を覆うように）略逆三角形状に下方へ延長されており、その下端部に初心者等の大腿部の付け根部分に着脱自在に装着するための左右一対の大腿部ベルト１４を備えている。この大腿部ベルト１４は、その端部にバックル１５を備えている。
【００２８】
さらに、前記主ベルト１１は、その上端部に初心者等の肩に着脱自在に装着するための左右一対の肩ベルト１６が取り付けられている。この肩ベルト１６は、「曰」の字状の枠体からなる長さ調整具１７を備えている。また、この左右一対の肩ベルト１６は、初心者等の背中側にて、バックル１６ａを介して互いに連結可能となっている。
【００２９】
前記主ベルト１１は、その前面部に小物収納用ポケット１８をさらに備えており、操作ひも２０を収納することもできて大変便利である。また、この小物収納用ポケット１８の内部には、前記両フック部１３を連結する帯状のベルト１９が配置され、主ベルト１１の強度が高められている。
【００３０】
上記構成されたスキー滑走補助具１０の使用方法について説明する。
【００３１】
このスキー滑走補助具１０を使用する際には、まず、主ベルト１１を図１及び図２に示すように、初心者等の腹部及び腰部に対して巻き付け、バックル１２にて主ベルト１１の両端部を連結する。
【００３２】
次に、初心者等の大腿部に大腿部ベルト１４を巻き付け、長さ調整具１５を用いて当該大腿部ベルト１４を大腿部に固定する。すると、主ベルト１１は初心者等の身体に確実に装着され、主ベルト１１が初心者の身体の周囲においてずれるように回動してしまうことは防止される。
【００３３】
さらに、主ベルト１１の肩ベルト１６を初心者等の肩に掛け、長さ調整具１７にて長さを調整しながら、肩ベルト１６を接続する。この肩ベルト１６により、主ベルト１１の初心者等に対する装着状態はより一層確実なものとなる。特に、本実施例の肩ベルト１６には、バックル１６ａが設けられているので、初心者等に対するスキー滑走補助具１０の装着がより一層強固なものとなる。
【００３４】
そして、前記主ベルト１１の左右一対のフック部１３に操作ひも２０の端部を装着すれば、このスキー滑走補助具１０によるスキーの練習が可能となる。操作ひも２０のフック部１３に対する取り付けは、直接結び付ける方法でも鉤状の金具等を用いてワンタッチで行う方法でもよい。
【００３５】
このスキー滑走補助具１０は、その主ベルト１１に大腿部ベルト１４を備えているので、主ベルト１１が初心者等に密着して確実に装着され、操作ひも２０を引いても主ベルト１１がずれることがなく、後方からの初心者等の指導を的確に行うことができる。例えば、左側の操作ひも２０を後方から引けば、初心者等にターンのきっかけを与えて図３に示すように初心者等を左へターンさせることができる。
【００３６】
また、このスキー滑走補助具１０を使用しない休憩の場合等においては、主ベルト１１のバックル１２、大腿部ベルト１４及び肩ベルト１６を外すだけで容易に主ベルト１１を初心者等から取り外すことができる。
【００３７】
次に、上記のような肩ベルトを省略した他の実施例について図４に従って説明するが、上記実施例と同様の部材については同一の符号を付して説明する。
【００３８】
本実施例のスキー滑走補助具３０は、子供又は初心者等のスキーによる滑走を後方から補助するために、スキー用の衣服Ｗの上に装着される器具であって、初心者等の腹部又は腰部に対して巻き付けて着脱自在に装着するための主ベルト３１を備えている。即ち、本実施例の主ベルト３１は、正面部が細く形成されているため、腹部及び腰部に広く巻き付けるようには構成されていない。
【００３９】
前記主ベルト３１は、その一端部に四角枠状の固定具３２を有し、長さ調節が可能であって主ベルト３１の両端部を着脱できるようになっている。従って、体格や体型の異なる初心者等に対応できるようになっている。
【００４０】
前記主ベルト３１は、初心者等の腰骨部に該当する位置にて当該主ベルト３１に互いに離間して取り付けられたフック部１３を備えている。このフック部１３は、帯状の布片と、その先端部に固定された環状の金具から構成され、当該フック部１３には、操作ひも２０を着脱自在に取り付けできるようになっている。
【００４１】
前記主ベルト３１は、初心者等の腰骨部に該当する位置が（左右の腰骨部を覆うように）略逆三角形状に下方へ延長されており、その下端部に初心者等の大腿部の付け根部分に着脱自在に装着するための左右一対の大腿部ベルト１４を備えている。この大腿部ベルト１４は、その端部にバックル１５を備えている。
【００４２】
上記構成されたスキー滑走補助具３０の使用方法について説明する。
【００４３】
このスキー滑走補助具３０を使用する際には、まず、主ベルト３１を初心者等の腹部又は腰部に対して巻き付け、固定具３２にてその両端部を連結する。
【００４４】
次に、初心者等の大腿部に大腿部ベルト１４を巻き付け、バックル１５を用いて当該大腿部ベルト１４を大腿部に固定する。すると、主ベルト３１は初心者等の身体に確実に装着され、主ベルト３１が初心者の身体の周囲においてずれるように回動してしまうことが防止される。
【００４５】
そして、前記主ベルト３１の左右一対のフック部１３に操作ひも２０の端部を装着すれば、このスキー滑走補助具３０によるスキーの練習が可能となる。
【００４６】
このスキー滑走補助具３０は、その主ベルト３１に大腿部ベルト１４を備えているので、主ベルト３１が初心者等に密着して装着され、操作ひも２０を引いても主ベルト３１がずれてしまうことがなく、初心者等の腰骨部に該当する位置に取り付けられた操作ひも２０により、後方からの初心者等の指導を的確に行うことができる。
【００４７】
また、このスキー滑走補助具３０を使用しない休憩の場合等においては、主ベルト３１の固定具３２及び大腿部ベルト１４を外すだけで容易に主ベルト３１を初心者等から取り外すことができる。
【００４８】
本発明は、上記実施例に限定されるものではなく、本実施例における肩ベルト１６を省略して実施したり、バックル１２，１５に代えて「曰」の字状の枠体からなる長さ調整具を用いて実施したり、ベルト１１，３１，１４，１６同士を面ファスナーにて接続して実施したり、その他の従来公知の種々のベルト締結用具を用いて接続するようにして実施してもよい。
【００４９】
さらに、本発明の趣旨を逸脱しない範囲で、フック部１３を省略して直接操作ひも２０を主ベルト１１，３１に取り付けるようにして実施したり、主ベルト１１，３１、大腿部ベルト１４、肩ベルト１６等の形状、寸法、取り付け位置、取り付け方法、数量、材質等を適宜変更して実施してもよい。
【００５０】
【発明の効果】
以上詳述したように、本発明のスキー滑走補助具においては、初心者等に対する着脱が容易でありながら、主ベルトと一体となっている大腿部ベルトを初心者等に装着していることから、主ベルトを初心者等の身体にしっかりと装着固定することができる。従って、初心者等の腰骨部を正確かつ確実に操作して初心者等を指導して正しく滑走姿勢を矯正することができ、しかも、異なる体格の初心者にも容易に対応することができるという優れた効果を奏する。
【００５１】
特に請求項１に記載のスキー滑走補助具においては、主ベルトを初心者等の腹部又は腰部に巻き付け、左右一対のフック部に操作ひもを取り付け、初心者等に大腿部ベルトを装着するだけで、主ベルトは初心者等の身体に確実に装着され、後方から操作ひもを引くことによって初心者等の腰骨部を正確かつ確実に操作することができる。
【００５２】
請求項２に記載のスキー滑走補助具においては、主ベルトを初心者等の腹部及び腰部に広く巻き付け、前方を滑走する初心者等に大腿部ベルトを装着すれば、主ベルトは初心者等の身体に確実に装着され、後方から操作ひもを引くことによって初心者等の腰骨部を正確かつ確実に操作することができる。
【００５３】
しかも、このスキー滑走補助具においては、主ベルトが腹部及び腰部に巻き付けられているため、前方を滑走する初心者等の腰部又は脇腹部が強く締め付けられてしまうことなく、初心者を後方から操作して指導することができるという優れた効果を奏する。
【００５４】
請求項３に記載のスキー滑走補助具においては、主ベルトを初心者等に対して簡単かつ迅速に装着し、又、取り外すことができる。
【００５５】
請求項４に記載のスキー滑走補助具においては、肩ベルトを初心者等に装着することで、初心者等と主ベルトとの装着がより確実となり、初心者等のコントロールがより正確かつ確実となる。さらに、主ベルトが下方へ引き下げられてしまうことが防止され、長時間に渡っても安定した体勢でスキーの滑走練習をすることができる。
【００５６】
請求項５に記載のスキー滑走補助具においては、小物収納用ポケット内にハンカチ、リフト券、財布、操作ひも等を収納することができ、大変便利である。
【図面の簡単な説明】
【図１】  本発明のスキー滑走補助具の装着状態を示す正面図。
【図２】  本発明のスキー滑走補助具の装着状態を示す背面図。
【図３】  本発明のスキー滑走補助具の使用状態を示す斜視図。
【図４】  本発明に係るスキー滑走補助具の他の実施例の斜視図。
【符号の説明】
１０，３０  スキー滑走補助具
１１，３１  主ベルト
１２  バックル
１３  フック部
１４  大腿部ベルト
１５  バックル
１６  肩ベルト
１６ａ  バックル
１７  長さ調整具
１８  小物収納用ポケット
２０  操作ひも
３２  固定具
【図１】
0004143879.tif 000002
【図２】
0004143879.tif 000003
【図３】
0004143879.tif 000004
【図４】
0004143879.tif 000005